(57)【要約】      （修正有）【課題】回転体による物体の角度変換移動において、加力点への加力が加力方向の反作用を含むため、回転体の上下動が余儀なく起きるが、この加力方向の成分を吸収して平滑な横進行を得ることができる出力方法を提供する。【解決手段】回転体１の中心軸２より、所定の横移動の距離を置いて加力部３を設置して、加力部３の受け部４は単独、あるいは伸縮具５により伸縮可能な受け部支持台６と転がり車輪７を下端に取り付けた下部台８と一体に形成する。これにより、回転体の横進行時に加力点である仮の支点を上下動させることにより、平滑な横移動を得る。【選択図】図１
2007002833.tif 000002
【特許請求の範囲】
【請求項１】
回転体により反作用を角度変換して移動する方法において、回転体への直径内を含む、主として逆転位置の仮の支点に加力して回転体を回転させるとともに、加力点を移動に必要な抵抗をもって上下動して、回転体、および回転体を含む系を横移動させる回転体による物体の角度変換移動方法４を兼ねた出力方法。
【請求項２】
原動力で動くものに回転体および回転体を設置した系を搭載して、自己移動あるいは半自己移動による移動および加減速および遠心力等による横移動の防止あるいは増加等新たな公転のために、回転体により反作用を角度変換して移動する移動体および機器の請求項１および請求項２の回転体による物体の角度変換移動方法４を兼ねた出力方法。
【請求項３】
回転体の移動成分は縦横二成分の合力でなり、回転体への加力位置により、頂点の作用反作用の直線位置から、中心軸あるいは重心と水平位置の直角位置までの、二成分の合力で成り立つ成分の内、中心軸方向以外への加力によりなる請求項１および請求項２および請求項３の回転体による物体の角度変換移動方法４を兼ねた出力方法。
【請求項４】
回転体の偏芯による加力あるいは回転体への加力により生ずる反作用を適宜大きさの転がり車輪に伝えて回転して、下降が動力として作用反作用による移動との組み合わせとした構造の請求項１および請求項２および請求項３および請求項４の回転体による物体の角度変換移動方法４を兼ねた出力方法。
【発明の詳細な説明】
【技術分野】
【０００１】  回転体による反作用の角度変換により移動する、回転体による物体の角度変換移動方法４を兼ねた出力方法に関する。
【背景技術】
【０００２】  物体の移動は、すべて直線の作用反作用で成り立つものと決められてきており、また電子、自動車のタイヤの回転での加速時には、固定子、自動車の移行等見かけ上法則通りの反作用が表れている。
【特許文献１】  すべての登録公報
【非特許文献１】  中学物理教科書
【発明の開示】
【発明が解決しようとする課題】
【０００３】  回転体において、重心以外の主として逆転している部位あるいは接線に加力することにより、発生する横方向の成分により、横方向に進行するに際して、発生する成分中、加力方向である縦成分により回転体は加力方向の運動を余儀なくされる。
この加力方向の成分を吸収して平滑な横進行を得ようとするものである。
【課題を解決するための手段】
【０００４】  主として回転体の回転により加力される、仮の支点において加力の反作用の受け部を、重心の移動により仮の支点に移動する重心に応じて、縦方向に移動して、重心の横移動の向きを変えずに、仮の支点を縦に移動してより平滑な横方向の進行を得ようとするものである。
【発明の効果】
【０００５】  余儀なくされていた加力方向の重心の移動を少なくすることにより、特に単体の回転体においても平滑な横移動が得られる。
また重力圏内では、重力に抗した動きとならないために、縦方向の回転においても力の損失が少なく、ジャイロの安定性が保持される。
【発明を実施するための最良の形態】
【０００６】  受け部を移動に必要な抵抗をもって上下動可能とすることにより、仮の支点が連れて上下動して、重心の加力方向への移動の発生が平滑な横移動となる。
【実施例１】
【０００７】  回転体１の中心軸２より、所定の横移動の距離を置いて加力部３を設置して、加力部３の受け部４は単独、あるいは伸縮具５により伸縮可能な受け部支持台６と転がり車輪７を下端に取り付けた下部台８と一体に形成されている。
回転体１の中心軸２は系９に穿設された孔１０に、原動機１１を通して、回転可能に設置され、系９の下端には転がり車輪７が設置されて、受け台４の下部台８と系９の下端は復帰具１２で連結されている。【０００８】  電力の場合は入力線１３により入力して原動機１１を矢印１４方向に回転させると、回転体１は自転して、主として内径を含む接線位置に設けられた加力部３は受け部４に当たり、加力部３を仮の支点として回転体が回転する。
回転体１の回転に伴い、中心軸２は加力部３の方向へ系９の下端の転がり車輪７により移動するとともに、受け部４は受け部支持棒６の縮みにより下がり、加力部３が下端に達した後は、回転体１は自転の域となる。【０００９】  自転の域においては、重心は系９に戻るので復帰具１２により、受け部４は下端の転がり車輪７により元の位置に復帰して、加力部３は自転の終了とともに同じ動作を入力のある間繰り返す回転体による物体の角度変換移動方法４を兼ねた出力方法の例示である。
また、例示では重力のみの下方向の回転体の移動を示すが、高速回転の場合はバネ等による加圧による復帰の必要性がある。
これを考察するに、仮の支点の下降とともに回転体を含む系は横に移動して、反作用は下降方向の下方向にかかる。【００１０】  反作用は直角であるから対の回転体により反作用を相殺すれば宇宙においても同様の動作は可能であり、地上における横置き型と同じく、重力の影響を受けない。
重力のある地上においては、重力に抗しての動きがなくなることにより実質の力の損失も少なくなり、縦置きの利点が生かされる。【００１１】  また地上では重力とともに回転体の偏芯による加力、あるいは回転体への加力により生ずる反作用を適宜大きさの転がり車輪に伝えて回転して、下降が動力として作用反作用による移動との組み合わせとした構造の回転体による物体の角度変換移動方法４を兼ねた出力方法である。
回転体の移動は自転と一方向の加力により成り立つから、重力に抗してあるいは質量を移動して回転の頂点に達した後は、垂直方向の加力はゼロとなり、元に復帰して再び二方向の力を得るもので、回転体は自転と公転を繰り返す。
自転の際には回転体は静止あるいは慣性移動となり、自転時に中心軸方向への加力があれば、回転体は自転と二方向の加力を頂点に受けるから、頂点を軸に回転方向に回転体は初期に、横、下の方向の比が１００：０で、終期で０：１００のベクトルで公転即ち移動しようとするが、順次地面に突き刺さる動きとなるべきものが、垂直の加力が水平に連続することにより頂点が連続することで、回転体は水平に沿って、頂点が連続して移動するもので、回転体に加速があれば反作用を中心軸方向への加力面即ち摩擦により渡すもので、初期に自転に頂点方向の加力の二成分で直線の作用反作用が発生し、続けて回転体に加速がなければ垂直の加速が連続しても慣性移動となって反作用は発生しない。【００１２】  このことは、頂点への加力は横、下への動きとなり、加力点を直角にずらした水平位置への加力は縦、横への動きとなり、各々の比率が１００：０から順次０：１００となる。
すなわち回転体の自転は慣性の動きを示し、回転のみでは反作用を発生せず、また回転への加速も対のであれば反作用は相殺されて、発生しない。【００１３】  反作用が発生するのは、自転への加力の二あるいは一成分である、二成分の場合は自転と中心軸方向の頂点へと直角の、二成分の加速が揃った場合で、成分中、回転体に回転の加速がある場合で直線の作用反作用となり、一成分の場合は自転と中心軸以外の方向の加力の場合で、表れる力は加力位置に応じて直角の二成分よりなって横成分に対して直角の反作用となる。
すなわち中心軸方向に、回転体の頂点に、自転と直角の二方向の加力、合わせて三方向の加力が揃った時点と、または自転に加速があって、直線の作用反作用は発生するもので、爆発、電磁波等の一時要素の力を受けての移動の反作用は、一時要素側に発生し、受け手の回転体には反作用は発生しない。【００１４】  他の一つの一成分の場合は、回転体の中心軸方向以外の回転体の内径を含む、主として逆転位置の接線方向に加力することにより、回転体は横方向の成分を発生して移動し、横成分の反作用は直角である。
この場合横方向の成分の発生は、自転に対して一方向の加力であるから回転体が静止するか移動するかに関係なく、自転していれば、加力することにより、加力点を仮の軸として、回転体は公転する。
この意味するところは自転している回転体の進行方向を含む回転体への加力は、中心軸方向から見て、時計回りの回転体の中心軸から水平から垂直下部位に加力することにより進行方向成分への反作用は発生し、順方向の左方よりの中心軸方向の加力は回転速度内では回転体自身の反作用を発生しないもので位相が変わっても同じである。【００１５】  すなわち、自転と中心軸方向および直角の接線方向への三方向への加力と、また自転と中心軸方向以外の間への二方向への加力で反作用を発生し、移動による自身が反作用を発生するのは、中心軸方向への頂点の加力と、頂点以外の主として水平方向への直角の加力の二種類しかなく、無回転運動体への加力は慣性を与え、回転体の中心軸方向、および中心軸以外の方向への加力のみが反作用を発生するもので、中心軸方向への頂点への三方向の加力のみが直線の作用反作用を生ずるものである。
したがってニュートン、ファラデーら先哲の、運動の第一、第三法則また電気の性質は、逆回転方向の自転と二方向の加力、つまり三方向の加力が中心軸方向への加力状態を連続して成り立つものであり、反作用の直線方向の成分比率が最大値の連続を示す。【００１６】  これより、上記の如く、直線の作用反作用は回転体の自転、あるいは自転への加速と中心軸方向への頂点への加力により発生し、回転体の自転と中心軸以外の内径を含む水平方向の垂直への加力により直線の作用反作用以外の反作用が起きるものと理解される。
卑近な例では、回転である歩行の、氷上では摩擦が少なく滑るものとされているが、実際は差し足は慣性により前に滑る可能性はあるが滑りにくく、滑るのは重心を越えて移動する蹴り足であり、差し足は中心軸方向即ち頂点への加力はしていない。摩擦が０の場合、従来は回転体の移動はないものとされてきたが、本発見では、押さえ付け、あるいは無関係となるために摩擦即ち横方向の力に関係なく動くもので、摩擦が０の面でも、二要素があれば歩行は回転であるから、重心方向以外の方向への加力となり、歩行は可能であり、摩擦が０、あるいは対象がなくても物体の移動は可能であることを示すものであり、氷の階段上りを想定すれば横移動成分を理解しやすい。【００１７】  この事実現象は、物体の運動の基礎であり常識法則のほころびを示唆する。
これを総括すると、自転するあるいは加速自転する回転体の主として逆回転方向に加力するに際して、中心軸方向に二方向の加力をすることにより、その頂点に作用反作用は方向を持つ点として発生し、加力が直角に即ち水平に連続することにより直線の作用反作用は発生し、接線方向等中心軸以外の方向へ垂直に即ち位相を９０度ずらして一方向の加力をすることにより、その反作用は直角の移動成分を含み、反作用は直角となる。【００１８】  すなわち、回転体の移動成分は縦横二成分の合力でなり、回転体への加力位置により、中心軸方向への頂点の加力と自転あるいは加速自転による作用反作用の直線位置から、中心軸あるいは重心と水平位置の作用反作用が直角位置までの、二成分の合力で成り立つ成分の内、中心軸方向以外への加力によりなる回転体による物体の角度変換移動方法４を兼ねた出力方法である。【００１９】  これを要するに、回転体により反作用を角度変換して移動する方法において、回転体への直径内を含む、主として逆転位置の仮の支点に加力して回転体を回転させるとともに、加力点を上下動して、回転体、および回転体を含む系を横移動させる回転体による物体の角度変換移動方法４を兼ねた出力方法である。
【産業上の利用可能性】
【００２０】  本発明は地上において回転体自身の上下動が少なくなることにより、重力に抗しての動きが少なくなり、重心移動が円滑になるために、回転体の並列、あるいは加力点の増加等による上下動の解消の必要が少なくなり、在来使用している動力により移動、仕事をする船、自動車、飛行機、宇宙機等あるいは工作機器等、すべての動くものに回転体および回転体を設置した系を搭載して、自己移動（以下自己移動とは、直線的な作用反作用によらずに、地面等を蹴る事なく自ら移動することを称する）あるいは半自己移動による移動および加減速および遠心力等による横移動の防止あるいは増加等新たな公転のために、回転体により反作用を角度変換して移動する移動体および機器のあるいはそれら以外のすべての原動力への、あるいは人力等による自転車、飛行機等への利用が容易となる。【００２１】  また本発見発明は基礎的なものゆえ、その瞬間移動性、回転力の蓄積、高速移動性、爆発等の力の利用度向上による省エネ、遠心力等の過大による事故発生の防止等等は悪用善用の二面性がある。
【図面の簡単な説明】
【００２２】
【図１】    全景斜面図
【図２】    要部部分断面図
【符号の説明】
【００２３】    １    回転体
２    中心軸
３    加力部
４    受け部
５    伸縮具
６    受け部支持棒
７    転がり車輪
８    下部台
９    系
１０  孔
１１  原動機
１２  復帰具
１３  入力線
【図１】
2007002833.tif 000003
【図２】
2007002833.tif 000004